(57)【要約】【課題】物品の種類や販売目的に容易に対応することができる複数物品包装体及び複数物品包装用ラベルを提供する。【解決手段】別個の熱収縮性フィルムから各々筒状に形成されて互いの外周面において接合一体化された第１及び第２のシュリンクラベル５１，５２を備え、第２のシュリンクラベル５２は第１のシュリンクラベル５１よりも軸線方向の長さが短く、この第１及び第２のシュリンクラベル５１，５２が第１及び第２の物品１，２に各々外嵌装着されている。また、第２のシュリンクラベル５２の上端部５２ａと下端部５２ｂが第１のシュリンクラベル５１に接着されずに離間している。【選択図】図１
2011189988.tif 000002
【特許請求の範囲】
【請求項１】
別個の熱収縮性フィルムから各々筒状に形成されて互いの外周面において接合一体化された第１及び第２のシュリンクラベルを備え、第２のシュリンクラベルは第１のシュリンクラベルよりも軸線方向の長さが短く、第１及び第２のシュリンクラベルが第１及び第２の物品に各々外嵌装着されていることを特徴とする複数物品包装体。
【請求項２】
第２のシュリンクラベルの軸線方向両端部のうち少なくとも一端部は第１のシュリンクラベルに接着されていない請求項１記載の複数物品包装体。
【請求項３】
第２のシュリンクラベルの軸線方向両端部の位置が上下に異なる場合において、第２のシュリンクラベルの少なくとも下端部が第１のシュリンクラベルに接着されていない請求項２記載の複数物品包装体。
【請求項４】
第２のシュリンクラベルが第２の物品における側面の端部を覆っている場合において、該第２の物品における側面の端部を覆っている第２のシュリンクラベルの部分が、第１のシュリンクラベルに接着されていない請求項１乃至３の何れかに記載の複数物品包装体。
【請求項５】
第１及び第２のシュリンクラベルは、熱収縮性フィルムを筒状に形成する際の重ね合わせ部において互いに接合されている請求項１乃至４の何れかに記載の複数物品包装体。
【請求項６】
別個の熱収縮性フィルムから各々筒状に形成されて互いの外周面において接合一体化された第１のシュリンクラベルと第２のシュリンクラベルを備え、第２のシュリンクラベルは第１のシュリンクラベルよりも軸線方向の長さが短いことを特徴とする複数物品包装用ラベル。
【発明の詳細な説明】
【技術分野】
【０００１】
本発明は、複数の物品が熱収縮性フィルムからなるシュリンクラベルで結束された複数物品包装体、及び、その複数物品包装用ラベルに関するものである。
【背景技術】
【０００２】
従来、この種の複数物品包装体としては、下記特許文献１、２のように、一枚の熱収縮性フィルムから筒状部を横並びに二つ形成し、該筒状部にそれぞれ物品を包装することによって複数の物品を結束して包装したものが公知である。
【０００３】
該複数物品包装体におけるシュリンクラベルは、一枚の熱収縮性フィルムから二つの筒状部を形成したものであるため、各筒状部によって覆われる物品の領域は何れも同じである。従って、例えば、大きさの異なる二つの物品に装着する場合には、小さい物品にシュリンクラベルの長さを合わせることになるので、大きい物品に対してはシュリンクラベルの被覆面積（表示面積）が十分ではない。また、大きい物品に対してシュリンクラベルのサイズが相対的に小さいことから外観上も改良の余地がある。また、大きさが同じ物品に装着する場合においても、筒状部の軸線方向の長さが同じであるので被覆面積は物品間で同じである。従って、シュリンクラベルを単なる結束手段として使用するのではなくセット販売における一つの広告手段や販促手段としても使用したいと考える場合には、宣伝広告等のバリエーションに乏しい。
【先行技術文献】
【特許文献】
【０００４】
【特許文献１】実開昭６１−８５６０号公報
【特許文献２】特開平１１−２０８７１６号公報
【発明の概要】
【発明が解決しようとする課題】
【０００５】
それゆえに本発明は上記従来の問題点に鑑みてなされ、物品の種類や販売目的に容易に対応することができる複数物品包装体及び複数物品包装用ラベルを提供することを課題とする。
【課題を解決するための手段】
【０００６】
本発明は上記課題を解決すべくなされたものであって、本発明に係る複数物品包装体は、別個の熱収縮性フィルムから各々筒状に形成されて互いの外周面において接合一体化された第１及び第２のシュリンクラベルを備え、第２のシュリンクラベルは第１のシュリンクラベルよりも軸線方向の長さが短く、第１及び第２のシュリンクラベルが第１及び第２の物品に各々外嵌装着されていることを特徴とする。
【０００７】
該複数物品包装体にあっては、第１及び第２のシュリンクラベルの軸線方向の長さが互いに異なっているため、例えば、長い方の第１のシュリンクラベルを大きい物品に装着し、短い方の第２のシュリンクラベルを小さい物品に装着すれば、大きい物品に対する表示面積を従来に比して容易に拡大することができると共に視覚的なバランスに優れて良好な外観も得られる。しかも、大きさの異なる物品であっても安定して結束包装することができる。更に、例えば同じ大きさの物品に装着すれば、物品間においてシュリンクラベルの表示面積に差を設けることができるので、変化に富んだ表示となって購買者にアピールすることができる。しかも、第１及び第２のシュリンクラベルがそれぞれ別個の熱収縮性フィルムから形成されているので、第１及び第２のシュリンクラベルの軸線方向の長さを容易に異なるものとすることができる。また、同じ種類の熱収縮性フィルムを用いることも無論可能であるが、収縮率や厚さ、材質、層構造等の異なる熱収縮性フィルムを用いることもでき、包装対象の物品に合わせて任意に選択することも容易である。
【０００８】
特に、第２のシュリンクラベルの軸線方向両端部のうち少なくとも一端部は第１のシュリンクラベルに接着されていないことが好ましい。ここで、「接着されていない」とは、物品への装着前の状態において、第２のシュリンクラベルの一端部が第１のシュリンクラベルに対峙していて物理的に第１のシュリンクラベルに接着できる状態であるにも関わらず接着されずにラベルの径方向に離間あるいは単に接触しているのみの状態であることを意味する。
【０００９】
第１のシュリンクラベルと第２のシュリンクラベルの接合部分においては、第１及び第２のシュリンクラベルが熱収縮することによって互いに他方のシュリンクラベルを引きつけようとする。即ち、この接合部分においてはシュリンクラベルが内側の物品に密着しにくくなる。従って、第２のシュリンクラベルの軸線方向両端部のうち少なくとも一端部を第１のシュリンクラベルに接着しないことによって、第２のシュリンクラベルの端部は第１のシュリンクラベルの熱収縮に影響を受けることなく熱収縮する。その結果、良好な外観体裁が得られると共に、第２のシュリンクラベルが第２の物品に対して位置ずれするということも防止できる。
【００１０】
また、第２のシュリンクラベルの軸線方向両端部の位置が上下に異なる場合において、第２のシュリンクラベルの少なくとも下端部が第１のシュリンクラベルに接着されていないことが好ましい。第２のシュリンクラベルの軸線方向両端部の位置が上下に異なる場合とは、代表的にはその軸線方向が上下方向の場合であるが、軸線方向が上下方向に対して傾斜している場合であっても同様であり、少なくとも軸線方向が水平方向である場合を除いて、その両端部の位置は上下に異なることとなる。このような場合においては、特に第２のシュリンクラベルの下端部が確実に熱収縮することによって、第２の物品の下方への抜け落ちを確実に防止することができる。
【００１１】
特に、第１のシュリンクラベルに接着されていない第２のシュリンクラベルの前記端部が第２の物品の側面に位置している場合には、第２の物品の側面から浮き上がりやすい部分である当該端部が確実に熱収縮して第２の物品の側面に密着する。従って、良好な外観が得られると共に、第２のシュリンクラベルの位置ずれが防止される。
【００１２】
一方、第１のシュリンクラベルに接着されていない第２のシュリンクラベルの前記端部が第２の物品の側面から端面に回り込んで位置している場合には、当該端部が熱収縮して第２の物品の端面に確実に回り込むことができる。従って、良好な外観が得られると共に、当該端部がストッパとなり、第２の物品が第２のシュリンクラベルから抜け出るということも防止できる。
【００１３】
また、第２のシュリンクラベルが第２の物品における側面の端部を覆っている場合において、該第２の物品における側面の端部を覆っている第２のシュリンクラベルの部分が、第１のシュリンクラベルに接着されていないことが好ましい。第２の物品における側面の端部（軸線方向の端部）は、例えば側面の上端部や下端部であるが、この上端部等は中央部よりも小径であったり異形であったりすることが多いために密着しにくい箇所である。そのため、その第２の物品における側面の端部を覆っている第２のシュリンクラベルの部分が第１のシュリンクラベルに接着されていないことによって、当該部分が第１のシュリンクラベルの熱収縮から影響を受けずに自由に熱収縮できて良好な外観体裁が得られる。
【００１４】
一方、第１及び第２のシュリンクラベルは、熱収縮性フィルムを筒状に形成する際の重ね合わせ部において互いに接合されていることが好ましい。熱収縮性フィルムを筒状に形成する際、熱収縮性フィルムの両端部を重ね合わせて接着する。このセンターシール部とも呼ばれる重ね合わせ部において第１及び第２のシュリンクラベルが接合されていると、接合部分の強度が高くなるうえに、重ね合わせ部が目立ちにくくなって良好な外観体裁が得られる。
【００１５】
特に、第１及び第２のシュリンクラベルのうち少なくとも一方は、重ね合わせ部が第１又は第２のシュリンクラベルの幅方向の中央に位置しないように扁平に折り畳まれた状態から拡開されて第１及び第２の物品に装着されたものであることが好ましい。なお、幅方向とは扁平に折り畳まれた状態における幅方向である。上述のように重ね合わせ部において接合する場合、第１又は第２のシュリンクラベルの重ね合わせ部がその幅方向の中央に位置していると、扁平に折り畳まれていたことによって生じる左右の折り目（折り癖）が物品への装着時には第１又は第２のシュリンクラベルの正面中央あるいは背面中央に位置する。即ち、包装状態において第１又は第２のシュリンクラベルの折り目が目立つ箇所に位置することになる。従って、重ね合わせ部を第１又は第２のシュリンクラベルの幅方向の中央ではなく左右に偏心した箇所に位置させることによって、包装状態において折り目が第１又は第２のシュリンクラベルの正面中央や背面中央には位置せずに側方に位置ずれすることとなり、折り目が正面あるいは背面から見たときに目立ちにくくなって良好な外観体裁が得られる。
【００１６】
また、本発明に係る複数物品包装用ラベルは、別個の熱収縮性フィルムから各々筒状に形成されて互いの外周面において接合一体化された第１のシュリンクラベルと第２のシュリンクラベルを備え、第２のシュリンクラベルは第１のシュリンクラベルよりも軸線方向の長さが短いことを特徴とする。
【発明の効果】
【００１７】
以上のように、本発明に係る複数物品包装体及び複数物品包装用ラベルにあっては、第１及び第２のシュリンクラベルが別個の熱収縮性フィルムから各々筒状に形成されたものであって、第１及び第２のシュリンクラベルの軸線方向の長さが互いに異なっているため、物品の種類や販売目的に容易に対応することができる。
【図面の簡単な説明】
【００１８】
【図１】本発明の一実施形態における複数物品包装体を示す斜視図。
【図２】同実施形態における複数物品包装体に使用されている複数物品包装用ラベルを示す斜視図。
【図３】同実施形態における複数物品包装体に使用されている複数物品包装用ラベルを示す断面図であって、（ａ）は収縮前の扁平状態を示し、（ｂ）は製造過程の状態を示す。
【図４】同実施形態における複数物品包装体に使用されている複数物品包装用ラベルの別形態のものを示す断面図であって、（ａ）は収縮前の扁平状態を示し、（ｂ）は製造過程の状態を示す。
【図５】本発明の他の実施形態における複数物品包装体を示す正面図。
【図６】本発明の他の実施形態における複数物品包装体を示す正面図。
【図７】同実施形態における複数物品包装体に使用されている複数物品包装用ラベルを示す正面図。
【図８】本発明の他の実施形態における複数物品包装体を示す正面図。
【図９】本発明の他の実施形態における複数物品包装体を示す正面図。
【図１０】同実施形態における複数物品包装体に使用されている複数物品包装用ラベルを示す断面図。
【図１１】同実施形態における複数物品包装体に使用されている複数物品包装用ラベルの別形態のものを示す断面図。
【図１２】本発明の他の実施形態における複数物品包装体を示す正面図。
【図１３】本発明の他の実施形態における複数物品包装体の被包装物を示す斜視図。
【図１４】同実施形態における複数物品包装体を示す正面図。
【図１５】同実施形態における複数物品包装体を示す背面図。
【図１６】本発明の他の実施形態における複数物品包装体の被包装物を示す斜視図。
【図１７】同実施形態における複数物品包装体を示す正面図。
【発明を実施するための形態】
【００１９】
以下、本発明の一実施形態に係る複数物品包装体及びそれに使用されている複数物品包装用ラベルについて、図１〜図４を参酌しつつ説明する。
【００２０】
図１に示す複数物品包装体は、被包装物（結束対象物）である第１及び第２の物品１，２に複数物品包装用ラベル５が装着され、該複数物品包装用ラベル５によって両物品１，２が結束包装されたものである。
【００２１】
第１及び第２の物品１，２の種類や大きさ、形状等は任意であるが、図１では第１の物品１が第２の物品２よりも大きい、即ち、背が高いものを示している。具体的には、第１の物品１は、径略一定の筒状の容器であって、有底筒状の容器本体１１と、該容器本体１１と略同一径であって容器本体１１の上側に着脱可能に装着された筒状のキャップ１２とを備えている。また、第２の物品２も筒状の容器であって、有底筒状の容器本体２１と、該容器本体２１の上側に着脱可能に装着された筒状のキャップ２２とを備えている。該第２の物品２の容器本体２１は、その下端部が下方に向かうほど小径となるテーパ状となっている。また、第２の物品２のキャップ２２は、上方に向かうほど小径となるテーパ状となっている。
【００２２】
また、複数物品包装用ラベル５は、第１の物品１に外嵌装着された第１のシュリンクラベル５１と、第２の物品２に外嵌装着された第２のシュリンクラベル５２とを備えている。第１のシュリンクラベル５１は第１の物品１をその全長に亘って覆っている。詳細には、第１のシュリンクラベル５１の下端部５１ｂは、第１の物品１の下端面１ｂ（即ち容器本体１１の下面）には回り込んではおらず、第１の物品１における側面１ｃの下端部に位置している。即ち、第１のシュリンクラベル５１の下端縁と第１の物品１の下端縁は略面一である。また、第１のシュリンクラベル５１の上端部５１ａは第１の物品１の上端面１ａ（即ちキャップ１２の上面）に達している。即ち、第１のシュリンクラベル５１の上端部５１ａは、第１の物品１の側面１ｃから上端面１ａへと折れ曲がるように回り込んでいて、その上端面１ａの周縁部を覆っている。
【００２３】
一方、第２のシュリンクラベル５２の下端部５２ｂは、第２の物品２の下端面２ｂ（即ち容器本体２１の下面）には達しておらず、第２の物品２における側面２ｃの下端部に位置している。従って、第２のシュリンクラベル５２の下端縁と第２の物品２の下端縁は略面一である。また、第２のシュリンクラベル５２の上端部５２ａも第２の物品２の上端面２ａ（即ちキャップ２２の上面）には達しておらず、従って、第２の物品２の側面２ｃのうち上部所定領域は覆われずに露出しており、第２のシュリンクラベル５２は第２の物品２における容器本体２１の側面全領域とキャップ２２の側面下部領域を覆っている。何れにしても、容器本体１１，２１とキャップ１２，２２の境界部１３，２３を上下に跨ぐようにして第１及び第２のシュリンクラベル５１，５２が第１の物品１及び第２の物品２に装着されている。従って、複数物品包装体はいわゆるタンパーエビデント性を有している。
【００２４】
かかる複数物品包装用ラベル５の装着前の状態について説明すると、図２に示すように、複数物品包装用ラベル５は、筒状の第１のシュリンクラベル５１と、該第１のシュリンクラベル５１よりも軸線方向の長さが短い筒状の第２のシュリンクラベル５２とを備えている。該第１及び第２のシュリンクラベル５１，５２は、それぞれ別個のシュリンクフィルム（熱収縮性フィルム）から筒状に形成されたものであって、第１のシュリンクラベル５１と第２のシュリンクラベル５２とが互いの外周面において接合されて一体化されている。詳細には、第１及び第２のシュリンクラベル５１，５２は、各々の下端縁が略同じ高さになるように並列状態に揃えられて、接合部分５５において例えば接着剤により接合一体化されている。即ち、第１及び第２のシュリンクラベル５１，５２はその軸線方向が互いに平行であって、第２のシュリンクラベル５２の端縁（図２の場合は下端縁）が第１のシュリンクラベル５１の端縁から軸線方向に突出しないようにして両シュリンクラベル５１，５２は接合されている。なお、接着剤には例えば反応性ホットメルト（周囲の湿気で硬化していくタイプのホットメルト）等の種々のものを使用できる。但し、接着剤を使用しない他の方法（例えば両面テープ等）によって接合してもよい。
【００２５】
接合部分５５は、第１及び第２のシュリンクラベル５１，５２の軸線方向に沿って所定幅にて形成され、その幅は例えば１０ｍｍ程度である。また、接合部分５５は、第２のシュリンクラベル５２の上端部５２ａと下端部５２ｂには形成されていない。即ち、第２のシュリンクラベル５２の上下両端部５２ａ，５２ｂは何れも第１のシュリンクラベル５１に対峙しているから物理的には接着可能であるが、第２のシュリンクラベル５２の下端部５２ｂは第１のシュリンクラベル５１の下端部５１ｂには接着されておらず、また、第２のシュリンクラベル５２の上端部５２ａも第１のシュリンクラベル５１の中途部には接着されていない。
【００２６】
また、第１及び第２のシュリンクラベル５１，５２は、それぞれ熱収縮性フィルムから別々に筒状に形成されたものである。従って、両シュリンクラベル５１，５２には熱収縮性フィルムの両端部同士を内外に重ね合わせられて接着された重ね合わせ部６１，６２（センターシール部）が軸線方向に沿ってそれぞれ形成されている。尚、重ね合わせ部６１，６２における接着は、有機溶媒を用いた接着の他、熱溶着や超音波溶着、静電による接着等、種々の手段による。また、重ね合わせ部６１，６２は、例えば、重ね合わせの全幅が２〜１０ｍｍ程度で、そのうち接着されている接着幅が１〜５ｍｍ程度である。そして、第１及び第２のシュリンクラベル５１，５２は、図３のようにそれぞれの重ね合わせ部６１，６２において接合されている。尚、図３（ａ）においては重ね合わせ部６１，６２と接合部分５５とが同幅である場合を示しているが、一般的には重ね合わせ部６１，６２より接合部分５５が幅広となる。重ね合わせ部６１，６２より接合部分５５が幅広となる場合には、接合部分５５の接着剤によって重ね合わせ部６１，６２における接着状態が補強されるので、フィルムの重ね合わせ状態がより一層強固なものとなる。
【００２７】
また、一般に筒状に形成されたシュリンクラベル５１はその後にロール状に巻き取られて保管や輸送等されることが多い。従って、その状態においては扁平状態となっており、その両側縁部にはそれぞれ折り目（折り癖）ができている。図３に示すように第１及び第２のシュリンクラベル５１，５２の両側縁部にもそれぞれ折り目５４が形成されているが、上述の重ね合わせ部６１，６２は扁平状態においてその幅方向の中央には位置せずに左右何れかに位置ずれしている。
【００２８】
そして、図３のように、第１及び第２のシュリンクラベル５１，５２においてそれぞれ重ね合わせ部６１，６２から遠い方の折り目５４同士が同じ側に位置し、同様に重ね合わせ部６１，６２から近い方の折り目５４同士が同じ側に位置するようにして、両重ね合わせ部６１，６２同士が向かい合わせられて接合されている。即ち、第１及び第２のシュリンクラベル５１，５２においてそれぞれ重ね合わせ部６１，６２から遠い方の折り目５４が接合部分５５を基準にして左右同じ側に位置し、同様に、近い方の折り目５４も接合部分５５を基準にして左右同じ側に位置している。
【００２９】
尚、近い側の折り目５４同士と遠い側の折り目５４同士が、それぞれ同じ側に位置するのではなく、図４のように、接合部分５５を基準にして左右反対側に位置するようにしてもよい。但し、図４の場合は、図３の場合に比べると、ラベル全体の幅が大きくなるので、図３のように近い側の折り目５４同士と遠い側の折り目５４同士がそれぞれ同じ側に位置するように接合一体化することが好ましい。特に、図３のように、幅寸法の小さい方のシュリンクラベル（図３では第２のシュリンクラベル５２）が、幅寸法の大きい方のシュリンクラベル（図３では第１のシュリンクラベル５１）に対して側方に突出せずにその幅寸法内に収まるようにすることが製造管理上好ましい。
【００３０】
尚、第１及び第２のシュリンクラベル５１，５２を構成する熱収縮性フィルムには種々のものを使用することができ、例えば一方向（周方向）の熱収縮率が９０℃で３０％以上（９０℃の温水中に１０秒間浸漬）のポリエステル系樹脂やポリスチレン系樹脂等からなる厚さ２０〜８０μｍのものを使用でき、その内面側には商品名や成分表示、デザイン等の印刷がグラビア印刷等により設けられている。第１及び第２のシュリンクラベル５１，５２を構成する熱収縮性フィルムは互いに同種のものでも異種のものでもよく、例えば、互いに、熱収縮率や厚さ、材質、層構造等を物品の形状や大きさ、使用目的等に応じて異なるものとすることができる。
【００３１】
また、複数物品包装用ラベル５の製法としては、例えば、図３（ｂ）のように、扁平に折り畳まれた状態の第１のシュリンクラベル５１と第２のシュリンクラベル５２をそれぞれ多数枚準備して、図３（ｂ）のように枚葉タイプの第１のシュリンクラベル５１と第２のシュリンクラベル５２を一枚ずつ貼り合わせて複数物品包装用ラベル５を製造する。これら枚葉タイプのシュリンクラベルは、例えば、長尺状の熱収縮性フィルムの両側縁部同士を貼り合わせて筒状にしたものを折り畳んで一旦ロール状に巻回し、その後、ロール状にしたものを繰り出しながら所定長さ毎にカットして製造するか、あるいは、ロール状に巻回せずに筒状にした後に連続して扁平に折り畳みながら所定長さ毎にカットして製造することができる。尚、ロール状に巻回された長尺状の第１のシュリンクラベル５１を繰り出しつつ、予め所定長さにカットしておいた枚葉タイプの第２のシュリンクラベル５２を第１のシュリンクラベル５１に接着剤で順次貼り付けていき、しかる後に、第１のシュリンクラベル５１を所定長さにカットして複数物品包装用ラベル５を製造することもできる。
【００３２】
以上のような構成の複数物品包装体にあっては、第１及び第２のシュリンクラベル５１，５２が熱収縮性フィルムから各々筒状に形成されているので、それぞれの長さを任意のものとすることが容易にできて、両者の表示面積に差をつけることができる。特に、第１のシュリンクラベル５１が第２のシュリンクラベル５２よりも長いので、第１のシュリンクラベル５１の表示面積を従来に比して大幅に拡大することができる。しかも、第１の物品１に対して第１のシュリンクラベル５１の長さ、被覆領域を十分に確保することができるので、外観体裁も良好なものとなるうえに、両物品１，２を安定して結束包装することができる。
【００３３】
また、第１の物品１におけるキャップ１２の下端縁の高さと第２の物品２におけるキャップ２２の下端縁の高さが異なっていても（即ち容器本体１１，２１とキャップ１２，２２の境界部１３，２３の高さが物品１，２間で異なっていても）、第１のシュリンクラベル５１が第２のシュリンクラベル５２よりも長いので、両物品１，２の双方にタンパーエビデント機能を付与することができる。
【００３４】
更に、従来の一枚の熱収縮性フィルムから構成されたラベルの場合には接合部分がヒンジ状になって物品が接合部分を支点として左右にぐらつくということがあったが、本実施形態の場合には第１及び第２のシュリンクラベル５１，５２を外周面において接合させているので、接合部分５５がヒンジ状になりにくく、物品１，２が安定するという利点がある。特に、接合部分５５が約１０ｍｍ程度という所定幅の帯状であるので、結束した物品の安定性に優れている。
【００３５】
また更に、第２のシュリンクラベル５２の上端部５２ａと下端部５２ｂが第１のシュリンクラベル５１に接着されていないので、第２のシュリンクラベル５２の上端部５２ａと下端部５２ｂが第１のシュリンクラベル５１の熱収縮によって影響を受けにくくなってスムーズに熱収縮でき、第２の物品２の側面２ｃに確実に密着する。特に、第２の物品２は、その側面２ｃの下端部がテーパ状であって、そのキャップ２２もテーパ状であるので、第２のシュリンクラベル５２の上端部５２ａから下端部５２ｂまで全長に亘って第１のシュリンクラベル５１に接着すると、第２の物品２の側面２ｃの下端部やキャップ２２から第２のシュリンクラベル５２が浮き上がってその間に空間が生じやすく、その結果、良好な外観が得られにくいうえに、第２の物品２が第２のシュリンクラベル５２に対して軸線方向に位置ずれしやすい。しかしながら、第２のシュリンクラベル５２の上端部５２ａと下端部５２ｂを第１のシュリンクラベル５１に接着しないことにより、良好な外観が得られると共に、第２の物品２が第２のシュリンクラベル５２に対して位置ずれすることを防止できる。特に、第２のシュリンクラベル５２の下端部５２ｂを第１のシュリンクラベル５１に接着しないことにより、第２のシュリンクラベル５２の下端部５２ｂが第２の物品２の側面２ｃに確実に密着するので、第２の物品２の下方への抜け落ちを防止することができる。また、接合部分５５が約１０ｍｍ程度の幅を有する帯状のものであるので、接合部分５５が細い線状である場合に比して、第２のシュリンクラベル５２の上端部５２ａと下端部５２ｂを接着していないことの効果が大きく、第２の物品２との間の空間の発生（第２のシュリンクラベル５２の浮き上がり）を防止することができる。
【００３６】
尚、第２のシュリンクラベル５２の下端部５２ｂが第１のシュリンクラベル５１の下端部５１ｂに対峙しているので、第２のシュリンクラベル５２の下端部５２ｂを第１のシュリンクラベル５１の下端部５１ｂに接着しないことによって、第２のシュリンクラベル５２の下端部５２ｂのみならず第１のシュリンクラベル５１の下端部５１ｂも同時にスムーズに熱収縮することができる。従って、第１のシュリンクラベル５１の下端部５１ｂも第１の物品１の側面１ｃに確実に密着することになって、第１及び第２の物品１，２の双方の抜け落ちが防止される。
【００３７】
更に、第１及び第２のシュリンクラベル５１，５２が重ね合わせ部６１，６２において接合されているので、重ね合わせ部６１，６２が目立ちにくくなり、重ね合わせ部６１，６２ではない他の部分において接合されている場合に比して良好な外観が得られる。また、接合部分５５における強度も重ね合わせ部６１，６２によって十分に確保することができ、確実な結束状態が得られる。
【００３８】
しかも、第１及び第２のシュリンクラベル５１，５２の重ね合わせ部６１，６２が何れも扁平状態において第１又は第２のシュリンクラベル５２の幅方向の中央に位置せずに一方の折り目５４側に偏心して位置しているので、拡開されて装着された際に、折り目５４が第１及び第２のシュリンクラベル５１，５２の正面中央と背面中央には位置せずに側方に位置ずれする。従って、包装状態において折り目５４が目立ちにくくなるという利点がある。
【００３９】
尚、製造段階では、図３（ｂ）や図４（ｂ）のように両シュリンクラベル５１，５２同士を扁平状態で接合するので、容易に且つ確実に接合することができる。特に、図３のように、幅寸法の大きい方のシュリンクラベル（図３では第１のシュリンクラベル５１）を載置した状態として、それに対して幅寸法の小さいシュリンクラベル（図３では第２のシュリンクラベル５２）を上方から接合することが好ましく、幅寸法の小さい方のシュリンクラベルが幅寸法の大きい方のシュリンクラベルから側方に突出しないので、安定して接合することができる。
【００４０】
尚、本実施形態では、第１のシュリンクラベル５１の下端縁と第２のシュリンクラベル５２の下端縁の高さが略同一であったが、両シュリンクラベル５１，５２の下端縁が軸線方向に位置ずれしていてもよい。例えば、図５のように、第２のシュリンクラベル５２の下端縁が第１のシュリンクラベル５１の下端縁よりも所定高さ上方に位置するように両シュリンクラベル５１，５２を接合してもよい。この場合、第１の物品１の下端面１ｂと第２の物品２の下端面２ｂの高さが略同一であるので、第１のシュリンクラベル５１の下端部５１ｂは第１の物品１の側面１ｃの下端部を覆う一方、第２のシュリンクラベル５２の下端部５２ｂは第２の物品２の側面２ｃの下端部を覆わないことになる。図１の場合には第２のシュリンクラベル５２の下端部５２ｂも第２の物品２の側面２ｃの下端部を覆っていたので、この点においても図１の場合とは異なっている。
【００４１】
この図５の場合においても、第１のシュリンクラベル５１の上端部５１ａと下端部５１ｂは共に第２のシュリンクラベル５２の熱収縮の影響を受けずにフリーの状態で熱収縮できる。そして、第２のシュリンクラベル５２の上端部５２ａと下端部５２ｂは共に第１のシュリンクラベル５１に接着されておらずにそれらの部分には接合部分５５が存在しないので、第２のシュリンクラベル５２の上端部５２ａと下端部５２ｂも第１のシュリンクラベル５１の熱収縮の影響を受けずにフリーの状態で熱収縮でき、両端部５２ａ，５２ｂ共に第２の物品２の側面２ｃに密着することができる。但し、図１に示すように、第２のシュリンクラベル５２の下端部５２ｂが第２の物品２の側面２ｃの下端部を覆うようにすれば、第２の物品２の位置ずれをより一層確実に防止できる。尚、図５のように境界部２３を第２のシュリンクラベル５２で覆わない場合においては、第２の物品２の例えばキャップ２２自体がタンパーエビデント機能を有する構造とすることもできる。
【００４２】
また更に、第２のシュリンクラベル５２の下端縁が第１のシュリンクラベル５１の下端縁よりも所定高さ上方に位置するように両シュリンクラベル５１，５２が接合されている場合においては、図６のように、第２の物品２を第１の物品１の下端面から所定高さ上方に位置させるようにしてもよい。この場合、装着前の複数物品包装用ラベル５では、図７のように第２のシュリンクラベル５２の上端部５２ａと下端部５２ｂは同様に第１のシュリンクラベル５１に接着されていないが、その下端部５２ｂが熱収縮によって第２の物品２の下端面２ｂに折れ曲がるようにして回り込んでいる。従って、第２の物品２の下端面２ｂに位置する第２のシュリンクラベル５２の下端部５２ｂがストッパとして機能することにより、第２の物品２の下方への抜け落ちが確実に防止されることとなる。同様に、第２のシュリンクラベル５２の上端部５２ａも熱収縮によって折れ曲がって第２の物品２の上端面２ａに位置しているので、それもストッパとして機能して第２の物品２の上方への位置ずれも防止される。このように、第２のシュリンクラベル５２の上端部５２ａと下端部５２ｂが第１のシュリンクラベル５１に接着されていないので、第１のシュリンクラベル５１の熱収縮の影響を受けずにスムーズに熱収縮して折れ曲がって第２の物品２の上端面２ａと下端面２ｂに位置する。尚、図６の場合には、接合部分５５が第２の物品２の略全長に対応して形成されるので、十分な接着領域を確保できるという利点もある。
【００４３】
但し、図８のように、接合部分５５が第２の物品２の略全長に対応して形成されなくてもよい。即ち、図６の場合には、第２の物品２の側面２ｃの上端部と下端部をそれぞれ覆う第２のシュリンクラベル５２の部分が何れも第１のシュリンクラベル５１に接着されていたが、図８の場合には、第２のシュリンクラベル５２のそれらの部分が何れも第１のシュリンクラベル５１に接着されていない。第２の物品２の側面２ｃの上端部や下端部は他の部分に比して小径や異形とされやすく、小径等となっている場合には、図８のように、第２の物品２の側面２ｃの上端部や下端部を覆う第２のシュリンクラベル５２の部分も第１のシュリンクラベル５１に接着しないことが好ましく、それによって第２の物品２の側面２ｃの上端部や下端部への密着性が高まって良好な外観が得られる。尚、図６や図８のうように、第１のシュリンクラベル５１の下端部５１ｂを熱収縮によって第１の物品１の下端面１ｃに折れ曲がるように回り込ませる構造としてもよい。
【００４４】
尚、上記実施形態では、二つの物品を結束包装する場合について説明したが、三つ以上の物品を結束包装する場合にも適用可能である。例えば、図９に示す複数物品包装体は、図１に示した第１及び第２の物品１，２に加えて更に第３の物品３を結束包装したものである。第３の物品３は例えば小型のチューブ状のものであり、これら三つの物品１，２，３は横一列に整列配置されている。該複数物品包装体に使用されている複数物品包装用ラベル５は、第１及び第２のシュリンクラベル５１，５２に加えて第３のシュリンクラベル５３を備えており、第３のシュリンクラベル５３は第１のシュリンクラベル５１に接合一体化されている。第３のシュリンクラベル５３は、第１のシュリンクラベル５１よりも短く、その上端部５３ａと下端部５３ｂは第１のシュリンクラベル５１には接合されていない。また、第３のシュリンクラベル５３は、第３の物品３の全長を覆っている。図４のように第３の物品３が上方先細り形状であっても、第３のシュリンクラベル５３の上端部５３ａや下端部５３ｂが第１のシュリンクラベル５１に接合されていないので、確実に第３の物品３の側面３ｃに密着でき、その位置ずれを防止できる。
【００４５】
また、この複数物品包装用ラベル５は、装着前の状態において図１０のように扁平状態であるが、第３のシュリンクラベル５３の重ね合わせ部６３を第１のシュリンクラベル５１の外周面に接着剤によって接着している。この第３のシュリンクラベル５３も同様に重ね合わせ部６３が幅方向の中央に位置しないように扁平に折り畳まれている。尚、図１０に示す場合も、図３に示したのと同様に、第３のシュリンクラベル５３が第１のシュリンクラベル５１に対して側方に突出せずにその幅寸法内に収まるようにすることが好ましいが、図１１のように、第３のシュリンクラベル５３が第１のシュリンクラベル５１に対して側方に所定量突出するように接合してもよい。
【００４６】
尚、上記実施形態において、例えば第１のシュリンクラベル５１の長さを上述したものより短くしてもよく、各シュリンクラベルの長さや物品への装着高さは任意に変更可能である。
【００４７】
更に、軸線方向の長さが相対的に長い第１のシュリンクラベル５１を背の高い第１の物品１に装着し、軸線方向の長さが相対的に短い第２のシュリンクラベル５２を背の低い第２の物品２に装着したが、組み合わせを逆にしてもよい。三つ以上の物品の場合も同様である。
【００４８】
また、筒状のシュリンクラベルの一端を開口させずに閉塞してもよい。例えば、図１２のように、第１乃至第３のシュリンクラベル５１，５２，５３の各上端部５１ａ，５２ａ，５３ａを閉塞したものとし、第１及び第３のシュリンクラベル５１，５３の長さを同じ長さにすると共に第２のシュリンクラベル５２をそれよりも短くし、同一サイズの第１及び第３の物品１，３とそれより小さい第２の物品２をまとめて包装するようにしてもよい。例えば、ポンプタイプのシャンプー２個とコンディショナー１個の結束包装に適用できる。
【００４９】
詳細には、第１及び第３のシュリンクラベル５１、５３は、第１及び第３の物品１，３の肩部分に対応した箇所を接合部分５５として互いに接合一体化され、それによって第１及び第３の物品１，３が並列状態となる。第２のシュリンクラベル５２は第１及び第３のシュリンクラベル５１，５３にそれぞれ接合部分５５において接合一体化されている。従って、第１及び第３の物品１，３の正面側あるいは背面側に、該第１及び第３の物品１，３を左右に橋渡しするようにして第２の物品２が位置している。第２のシュリンクラベル５２と第１及び第３のシュリンクラベル５１、５３との間の両接合部分５５によって、第１及び第３の物品１，３が第２の物品２を介して安定して結束される。このように第１乃至第３の物品１，２，３が、上端部５１ａ，５２ａ，５３ａが閉塞された筒状の第１乃至第３のシュリンクラベル５１，５２，５３によってそれぞれ上方から覆われているので、第１乃至第３の物品１，２，３に埃やゴミ等が付着することを簡素な包装形態にて防止できる。
【００５０】
尚、上記実施形態では第２のシュリンクラベル５２等においてその上下両端部５２ａ，５２ｂ等を何れも第１のシュリンクラベル５１に接合していないものについて説明したが、少なくとも下端部５２ｂを接合しないようにすれば下方への抜け落ちを防止できる。
【００５１】
尚、上記実施形態では何れの物品も上下方向を向いていたが、例えば、第２の物品２が横方向を向くようにしてもよい。
【００５２】
また、複数の物品の大きさが同じであっても適用可能である。物品はパウチ（ソフトパウチ）であってもよい。
【００５３】
更に、複数の物品のうちの一つを、他の物品を説明するための表示部を備えた台紙としてもよい。例えば、第２の物品を容器等の製品とし、第１の物品を、第２の物品を説明するための表示部を備えた台紙としてもよい。逆に、第２の物品を台紙としてもよい。
【００５４】
物品を台紙とする場合には、その台紙を二つ折り以上の折り回数で折り畳まれたものとすることができる。例えば、図１３のように二つ折りの台紙１を第１の物品とすることができる。該台紙１は、縦方向の折り返し線で二つ折りにされた横開きタイプのものであって、二つ折り状態における両側縁部には、くびれ部１５がそれぞれ形成されている。くびれ部１５の位置は任意であるが、図１４のように下側半分領域等の下部に設けることが好ましい。そして、この第１の物品としての台紙１と第２の物品としての容器２を、外周面における接合部分５５で接合一体化された第１及び第２のシュリンクラベル５１，５２で同時包装する。図１４の形態においては、第１のシュリンクラベル５１が第２のシュリンクラベル５２よりも軸線方向の長さが長い。また、第２のシュリンクラベル５２の下端縁が第１のシュリンクラベル５１の下端縁よりも下方に位置ずれして接合一体化されている。そして、第２のシュリンクラベル５２の下端部５２ｂは熱収縮によって容器２の下端面２ｂに折れ曲がるようにして回り込んでいる。また、容器２は蓋付きであって、容器本体２１の上側にキャップ２２が着脱可能に装着されており、第２のシュリンクラベル５２は容器本体２１とキャップ２２との境界部２３を上下に跨ぐようにして装着されている。一方、二つ折りの台紙１は第１のシュリンクラベル５１で包装されてその開きが阻止されている。第１のシュリンクラベル５１はくびれ部１５に装着されており、従って、第１のシュリンクラベル５１から台紙１が上下に位置ずれしたり抜け落ちたりすることが防止される。図１５のように第１のシュリンクラベル５１には包装状態において背面となる部分に開封用のミシン目７０が形成されており、該ミシン目７０によって第１のシュリンクラベル５１を切断して開封することができ、それによって台紙１を開くことができる。二つ折りの台紙１であるので大きな表示面積を確保することができ、多言語表示にも十分に対応することができる。尚、第２のシュリンクラベル５２にも開封用のミシン目７１が形成されており、該ミシン目７１で第２のシュリンクラベル５２を切断することで容器２から第２のシュリンクラベル５２を容易に外すことができる。尚、開封後に台紙１を説明書として保管してもよい。台紙１には接着剤が付着していないので保管に適している。また、台紙１にシュリンクラベルを接着した台紙付きのラベルとは異なり、台紙１を容易に変更することができるので多品種小ロット生産に適している。
【００５５】
尚、図１６のように縦開きタイプの台紙１としてもよい。該台紙１は、横方向に沿った上縁部１ｄを折り返し線として二つ折りにされたものであり、二つ折り状態において両側縁部の下部には切欠部１６がそれぞれ形成されている。図１７はその台紙１を用いた複数物品包装体であって、該台紙１を第１のシュリンクラベル５１で開かないように包装し、第２のシュリンクラベル５２で容器２を包装している。第１のシュリンクラベル５１は、その下端が開口している一方、その上端は開口しておらず閉塞している。具体的には、第１のシュリンクラベル５１の上端部５１ａは溶断シールにより形成された溶断シール部である。該第１のシュリンクラベル５１が台紙１の上側から被せられ、熱収縮により台紙１に装着されて台紙１の全体が覆われている。台紙１には切欠部１６が形成されているので、該切欠部１６によって第１のシュリンクラベル５１と台紙１の相対的な位置ずれが防止される。尚、第１のシュリンクラベル５１の下端部５１ｂは台紙１の下方には回り込んでいないが、回り込むようにすることもできる。図１７においては、容器２が台紙１の下端よりも上方に位置しているが、容器２の下端と台紙１の下端の高さを一致させてもよく、容器２を下方に位置させてもよく、台紙１に対して容器２を任意の高さに位置させることができる。
【００５６】
尚、二つ折り以上に折り畳まれた台紙１の内面を更に親展葉書のように剥離可能に接着してもよい。但し、台紙１の内面を剥離可能に接着しなくても、第１のシュリンクラベル５１を装着することによって台紙１の開きが阻止できるので、コスト面を考慮する場合には内面を剥離可能に接着しない方がよい。
【００５７】
また、第１のシュリンクラベル５１や第２のシュリンクラベル５２の内面に接着剤を部分的に塗布して第１の物品や第２の物品の抜け落ちや位置ずれを防止してもよい。
【００５８】
尚、接合部分５５が約１０ｍｍ程度の幅を有する帯状である場合を例に説明したが、接合部分５５の幅は任意であり、また、接合部分５５を一本（一条）ではなく複数本（二条以上）設けてもよい。例えば数ｍｍ程度（１〜３ｍｍ程度）の接合部分５５を間隔をあけて二本平行に設けてもよい。平行でなくてもよく、例えばハの字状に設けてもよい。また、直線状ではなく屈曲させたり蛇行させたりしてもよい。
【符号の説明】
【００５９】
１    第１の物品（台紙）
１ａ  上端面（上面）
１ｂ  下端面（下面）
１ｃ  側面（周面）
１ｄ  上縁部
２    第２の物品
２ａ  上端面（上面）
２ｂ  下端面（下面）
２ｃ  側面（周面）
３    第３の物品
３ａ  上端面（上面）
３ｂ  下端面（下面）
３ｃ  側面（周面）
５    複数物品包装用ラベル
１１    容器本体
１２    キャップ
１３    境界部
１５    くびれ部
１６    切欠部
２１    容器本体
２２    キャップ
２３    境界部
５１    第１のシュリンクラベル
５１ａ  上端部
５１ｂ  下端部
５２    第２のシュリンクラベル
５２ａ  上端部
５２ｂ  下端部
５３    第３のシュリンクラベル
５３ａ  上端部
５３ｂ  下端部
５４    折り目
５５    接合部分
６１    重ね合わせ部
６２    重ね合わせ部
６３    重ね合わせ部
７０    ミシン目
７１    ミシン目
【図１】
2011189988.tif 000003
【図２】
2011189988.tif 000004
【図３】
2011189988.tif 000005
【図４】
2011189988.tif 000006
【図５】
2011189988.tif 000007
【図６】
2011189988.tif 000008
【図７】
2011189988.tif 000009
【図８】
2011189988.tif 000010
【図９】
2011189988.tif 000011
【図１０】
2011189988.tif 000012
【図１１】
2011189988.tif 000013
【図１２】
2011189988.tif 000014
【図１３】
2011189988.tif 000015
【図１４】
2011189988.tif 000016
【図１５】
2011189988.tif 000017
【図１６】
2011189988.tif 000018
【図１７】
2011189988.tif 000019